(57)【特許請求の範囲】
【請求項１】
缶蓋本体の上面中央部に突出して形成されるリベットと、スコアにより画成された開口片と、前記開口片の上に一端部を重ねて前記リベットに取り付けられるタブと、前記タブの他端部側に形成される指かけ凹部とを備え、前記タブの他端部を上方に引き上げることにより、前記一端部が前記開口片を下方に押圧して前記スコアを破断させ、前記開口片を開口させる缶蓋であって、前記タブの他端部の端縁は、前記タブの長手方向に直交するフラット部を有しており、そのフラット部の両端に位置する角部の上面が、下方に凹まされて低く形成されていることを特徴とする缶蓋。
【請求項２】
前記角部が前記フラット部よりも面方向に突出して形成されていることを特徴とする請求項１記載の缶蓋。
【請求項３】
前記フラット部の中央部の下面は、上方に凹まされて引き上げ凹部が形成されていることを特徴とする請求項１又は２に記載の缶蓋。
【請求項４】
缶蓋本体の上面中央部に突出して形成されるリベットに取り付けられ、前記缶蓋本体にスコアにより画成された開口片の上に一端部を重ねて、前記リベットを介して前記一端部と反対方向に延びる他端部とを備えた缶蓋用のタブであって、前記タブの他端部の端縁は、前記タブの長手方向に直交するフラット部を有しており、そのフラット部の両端に位置する角部の上面が、下方に凹まされて低く形成されていることを特徴とする缶蓋用のタブ。
【発明の詳細な説明】
【技術分野】
【０００１】
本発明は、缶体の開口端部に巻締められる缶蓋及びその缶蓋に用いられるタブに関するものである。
【背景技術】
【０００２】
飲料缶の缶蓋として、特許文献１に示されるように、タブを缶蓋本体に取り付けたままの状態で飲み口が開口可能なステイオンタブ方式のものが知られている。
このタブを備えた缶蓋は、タブがリベットによって取り付けられており、タブの指かけ部を引き上げることにより、リベット近傍が折れ曲がって支点となり、タブノーズ部（タブの先端）が作用点となって、パネル表面のスコアに囲まれた開口片を押圧、没入してスコアを破断させ、開口片を開口させるようになっている。この際、パネル表面は、スコア形状に沿って破断され、開口片は缶蓋と離れることなく飲料缶内部に押し入れられて開缶する。
【０００３】
そして、このような缶蓋においては、タブの指かけ部を指先で引き上げる際の指かけを容易にするため、タブの指かけ部の下方付近からパネル部の外周部にかけて指かけ時に指の一部が入る凹部が形成されている。また、特許文献１においては、タブの指かけ部の裏面に滑り止め用の凹凸部を形成し、指滑りを防止して、開缶性を向上させた缶蓋が提案されている。
また、このように形成された缶蓋は、缶体に巻き締められるまでの間に搬送される過程において、他の缶蓋と一緒に複数枚が積層状態で梱包（袋詰め）される。この積層状態においては、各缶蓋は、缶蓋のカール部の下面が、下側に位置する他の缶蓋のカール部の上面に接触し、パネル部及びタブの部分は接触しないように設計されている。
【０００４】
ところで、近年では、材料の使用量を低減するために缶蓋を薄肉にするとともに、ブランク径（成形時の打ち抜き径）を小さくして形成することがなされており、これに伴い、カール部の高さ（カールハイト）を小さくした缶蓋が開発されている。しかしながら、このような缶蓋を積層状態とした際に、一つの缶蓋のタブと、他の缶蓋のパネル部の下面とが接触し易くなるという新たな問題が生じている。
特に、重ね合わせた缶蓋同士の載置方向がずれると、タブと指かけ凹部の裏面とが接触することがある。その結果、タブの成形時に使用される油が、重ねられた缶蓋のパネル裏面に付着し、この缶蓋を、内容物を充填して飲料缶とした際に、その内容物がビール等の炭酸飲料の場合には、泡立ち性が低下するおそれがある。
また、これらの缶蓋が積み重ねられて袋詰めされる際に、一部の缶蓋が袋の中で反転して袋詰めされるおそれがあり、高さの不揃いにより、各袋に入れる缶蓋の入り数不足や過多等の原因となる。
【０００５】
そこで、特許文献２では、タブとパネル裏面との接触を防止するために、タブの指かけ部の厚みを薄くするとともに、その指かけ部直下に指かけ凹部よりも深さの浅い凹部を形成することで、缶蓋の積み重ね性を悪化させることなく、タブの指掛かり性を確保している。
【先行技術文献】
【特許文献】
【０００６】
【特許文献１】特開２００７−１２６１５７号公報
【特許文献２】特開２０１０−７０２２５号公報
【発明の概要】
【発明が解決しようとする課題】
【０００７】
しかしながら、特許文献２のように、タブの指かけ部の厚みを薄くした場合、その部分の折れ曲がり強度が低下して、飲料缶とした際に開缶不良が生じるというおそれがある。特に、タブの成形時にタブ同士を連結している連結片がタブの側面に設けられる構成の場合には、連結片を切断した切断面付近が折れ曲がり易くなる。
【０００８】
本発明は、このような事情に鑑みてなされたもので、タブの指掛かり性を損なうことなく、かつタブの強度低下をも生じさせずに、缶蓋同士を積み重ねた際の内面接触を回避することができる缶蓋およびその缶蓋に用いられる缶蓋用のタブを提供する。
【課題を解決するための手段】
【０００９】
本発明の缶蓋は、缶蓋本体の上面中央部に突出して形成されるリベットと、スコアにより画成された開口片と、前記開口片の上に一端部を重ねて前記リベットに取り付けられるタブと、前記タブの他端部側に形成される指かけ凹部とを備え、前記タブの他端部を上方に引き上げることにより、前記一端部が前記開口片を下方に押圧して前記スコアを破断させ、前記開口片を開口させる缶蓋であって、前記タブの他端部の端縁は、前記タブの長手方向に直交するフラット部を有しており、そのフラット部の両端に位置する角部の上面が、下方に凹まされて低く形成されていることを特徴とする。
【００１０】
この缶蓋においては、タブのリベット中心から最も遠い位置となるフラット部の角部を、下方に凹ませて形成しているので、缶蓋同士を積み重ねた際に、その角部が他の缶蓋の指かけ凹部の下方に配置された場合においても、これらの接触を確実に回避することができる。
また、タブの他端部の角部という、わずかな箇所だけを凹ませた形状とするだけで対策が行えるため、タブの強度を低下させずに構成することができる。
さらに、タブの他端部の角部だけを凹ませており、タブと指かけ凹部との隙間は従来通りに確保することができるので、タブの指掛かり性を損なうことなく形成することができる。
【００１１】
また、本発明の缶蓋において、前記角部が前記フラット部よりも面方向に突出して形成されているとよい。
この場合、角部はタブの厚み方向には上面側を凹ませた形状となっているが、その分、面方向に広がって設けられる。これにより、広がって（突出して）設けられた角部がガイドとなり、角部に挟まれた他端部のフラット部に指先を案内することができ、指掛かり性を向上させることができる。
【００１２】
さらに、本発明の缶蓋において、前記フラット部の中央部の下面は、上方に凹まされて引き上げ凹部が形成されているとよい。
下方に低く形成された角部を避けて、フラット部の中央部を上方に凹ませて引き上げ凹部を形成しているので、タブの他端部の強度を低下させることなく、引き上げ凹部と指かけ凹部との隙間を広げることができ、タブの指掛かり性を向上させることができる。
【００１３】
そして、本発明の缶蓋用のタブは、缶蓋本体の上面中央部に突出して形成されるリベットに取り付けられ、前記缶蓋本体にスコアにより画成された開口片の上に一端部を重ねて、前記リベットを介して前記一端部と反対方向に延びる他端部とを備えた缶蓋用のタブであって、前記タブの他端部の端縁は、前記タブの長手方向に直交するフラット部を有しており、そのフラット部の両端に位置する角部の上面が、下方に凹まされて低く形成されていることを特徴とする。
【発明の効果】
【００１４】
本発明によれば、タブの指掛かり性を損なうことなく、かつタブの強度低下をも生じさせずに、缶蓋同士を積み重ねた際の内面接触を回避することができる。
【図面の簡単な説明】
【００１５】
【図１】本発明の缶蓋の一実施形態を示す平面図である。
【図２】図１に示すＡ−Ａ断面図である。
【図３】タブの平面図である
【図４】図３に示すＢ−Ｂ矢視図である。
【図５】図３に示すタブの裏面図である。
【図６】缶蓋を積み重ねた状態を説明する要部拡大図である。
【発明を実施するための形態】
【００１６】
以下、本発明の缶蓋の一実施形態を、図面を参照しながら説明する。
本実施形態の缶蓋１００は、飲料用の缶に用いられる、いわゆるステイオンタブ式缶蓋であり、図１に示すように、缶蓋本体１とタブ２とにより構成され、これらの缶蓋本体１およびタブ２は、それぞれアルミニウム合金により形成されている。
【００１７】
缶蓋本体１は、図１および図２に示すように、その中央部分に配置される円板状をなすパネル部１０ａと、パネル部１０ａの外周縁からコーナー部１１を介して連続し下方に向けた環状凹部１２を形成するカウンターシンク部１３と、カウンターシンク部１３の外周縁から上方に向けてほぼ拡径しながら延在するチャック壁部１４と、チャック壁部１４の外周縁から連なるショルダー部１５と、ショルダー部１５に連続するカール部１６とから構成されている。
【００１８】
パネル部１０ａの上面には、図１に示すように、パネル部１０ａ（缶蓋本体１）の中央部に突出したリベット３が形成されており、このリベット３にタブ２が取り付けられている。また、パネル部１０ａの上面のリベット３から特定の半径方向に延びる部分（図１ではリベット３の左側）にスコア部４により画成される開口片５が形成され、開口片５とはリベット３を介して反対側（図１ではリベット３の右側）に指かけ凹部６が形成されており、リベット３と指かけ凹部６との間にディンプルと称される凸部７が形成されている。そして、これら開口片５、指かけ凹部６、凸部７を取り囲むように、凹状のパネルデボス１０ｂが形成されている。
【００１９】
スコア部４は、図１に示すように、始端部４１と、リベット３をほぼ半分囲む円弧状の初期破断部となる円弧形状部４２と、略楕円形状の中間部４３と、終端部４４とで構成され、始端部４１と終端部４４との間にパネル部１０ａとの接続部４５を一部残して形成され、開口片５を画成している。円弧形状部４２は、リベット３周囲のコイニングにより押しつぶされたリング状圧印部に形成される。
また、スコア部４は、タブ２による押圧によって破断されて開口片５を形成する主スコア４ａと、主スコア４ａの内側に隣接して平行に形成される補助スコア４ｂとを備えた二重構造とされており、スコア部４の始端部４１および終端部４４で、主スコア４ａと補助スコア４ｂとが接続されている。
そして、補助スコア４ｂは、隣接する主スコア４ａよりも浅く形成されており、タブ２の押圧によっては破断されない構成となっている。
なお、ここでいう本実施形態の主スコアが、本発明におけるスコアに対応する。
【００２０】
開口片５上には、スコア部４に沿うようにして突出させられたインナービード８が形成され、開口片５を補強している。
指かけ凹部６は、タブ２の他端部２２を引き上げる際に、その他端部２２の下方に指先を配置して引き上げ易くするものであり、他端部２２下方近傍のパネル部１０ａに半径方向外方にかけて形成されている。
凸部７は、パネルデボス１０ｂに突出し、タブ２の幅方向に間隔をおいて二つ形成されている。そして、タブ２の外縁部が凸部７に引っ掛かり、タブ２の回転移動を防止できるようになっている。
リベット３は、パネル部１０ａの中心の周囲を上方からリング状に圧印するコイニング加工を施して、パネル部１０ａの中心部を上方に張り出させることにより形成されている。
【００２１】
タブ２は、アルミニウム等の金属板を切り抜いてプレス加工等により平坦に形成されており、開口片５の上方に重なって配置された一端部２１と、リベット３を挟んで反対側に形成された他端部２２とを備え、他端部２２には、タブ２の厚さ方向に開口するタブホール部２３が形成されている。一端部２１と他端部２２との間には、Ｕ字状のスロット２４ａによりタング部２４が形成され、タング部２４にリベット孔２５が形成されており、そのリベット孔２５にリベット３が挿入されてタング部２４の下面がパネルデボス１０ｂの表面に当接した状態でタブ２が取り付けられている。
【００２２】
また、タブ２は、全体の外周縁やタブホール部２３の内周縁で金属板が下面側に折り曲げられてカール成形が施されており、全体の剛性が高められている。
タブ２の他端部２２は、図５に示すように、外周縁を折り曲げられて形成されるとともに、その端縁にタブ２の長手方向に直交するフラット部２２ａが形成されている。そして、そのフラット部２２ａを有する部分には、下面側を厚さ方向に押しつぶされ凹まされて、引き上げ凹部２２ｃが形成されていることにより、その厚さｔ１は、図４に示すように、タブ２の他の外周部分の厚さよりも薄く設けられている。
【００２３】
フラット部２２ａの両端に位置する角部２２ｂの上面は、タブ２の厚さ方向に押しつぶされて凹まされており、これら角部２２ｂは、図３に示すように、フラット部２２ａよりも面方向に突出して（広がって）形成されている。角部２２ｂは、タブ２の他端部２２において、少なくともリベット３の中心から指かけ凹部６までの最短距離を半径とした円周内に収まりきらない範囲に形成されている。
図６は、実線で示した缶蓋１００に対して、二点鎖線で示すように缶蓋１００を円周方向にずらして重ね合わせた状態を表している。また、図２に二点鎖線で示す缶蓋１００は、図６の二点鎖線で示す缶蓋１００に対応しており、缶蓋１００同士を円周方向にずらして重ね合わせた状態を表している。そして、図２及び図６に示すように、角部２２ｂは、缶蓋１００同士をずらして積み重ねた際に、他の缶蓋の指かけ凹部６と重なる範囲を含むように設けられている。
また、上述したように、角部２２ｂの上面は下方に凹まされて低く形成されており、その厚さｔ２は他の外周部分の厚さよりも薄く設けられ、角部２２ｂの下面はタブ２の下面とほぼ同一面に形成されている。
【００２４】
また、このようなタブ２は、先ず、金属板にタブホール部２３等のタブ２に形成される穴を順次形成し、次に、所要幅の連結片２０４を除いてタブ２のブランクを打ち抜き、そのブランクを連結片２０４で連結された状態で、適宜凹凸形状等の成形を施し、且つ、外周縁にカール成形を施し、その後に引き上げ凹部２２ｃ及び角部２２ｂを押しつぶして、最後に連結片２０４を切断することにより成形される。
図５に示す本実施形態のタブ２のように、成形時にタブ２同士を連結している連結片２０４がタブ２の側面に設けられる場合には、タブ２の連結片２０４付近にはカール成形を施すことができないので、他の外周部に比べて、この連結片２０４を切断した切断面付近の剛性が弱くなっている。
【００２５】
本実施形態のタブ２においては、この連結片２０４の切断面付近を避けて、わずかな箇所だけを凹ませた形状とするだけで角部２２ｂを形成しているので、タブ２の強度を低下させずに缶蓋同士の内面接触を回避することができる。
また、タブ２の角部２２ｂは、面方向に広がって設けられるとともに、フラット部２２ａの下方には、両角部２２ｂから中央部にかけて凹状に形成された引き上げ凹部２２ｃが設けられているので、この角部２２ｂがガイドとなり、角部２２ｂに挟まれたフラット部２２ａに指先を案内することができ、指掛かり性を向上させることができる。
さらに、凹まされて形成された角部２２ｂを避けて、フラット部２２ａ付近を下方から凹ませて引き上げ凹部２２ｃを形成しているので、タブ２の強度を低下させることなく、引き上げ凹部２２ｃと指かけ凹部６との隙間を広げることができ、タブ２の指掛かり性を向上させることができる。
【００２６】
なお、本発明は上記実施形態の構成のものに限定されるものではなく、細部構成においては、本発明の趣旨を逸脱しない範囲において種々の変更を加えることが可能である。
【符号の説明】
【００２７】
１  缶蓋本体
２  タブ
３  リベット
４  スコア部
４ａ  主スコア
４ｂ  補助スコア
５  開口片
６  指かけ凹部
７  凸部
８  インナービード
１０ａ  パネル部
１０ｂ  パネルデボス
１１  コーナー部
１２  環状凹部
１３  カウンターシンク部
１４  チャック壁部
１５  ショルダー部
１６  カール部
２１  一端部
２２  他端部
２２ａ  フラット部
２２ｂ  角部
２２ｃ  引き上げ凹部
２３  タブホール部
２４  タング部
２４ａ  スロット
２５  リベット孔
４１  始端部
４２  円弧形状部
４３  中間部
４４  終端部
４５  接続部
１００  缶蓋
２０４  連結片
【図１】
0005514665.tif 000002
【図２】
0005514665.tif 000003
【図３】
0005514665.tif 000004
【図４】
0005514665.tif 000005
【図５】
0005514665.tif 000006
【図６】
0005514665.tif 000007